(57)【要約】【課題】肉類や魚などを焼く焼き装置、特に竹切片を用いた焼き網及びこれを用いた焼き装置を提供する。【解決手段】本発明の竹焼き網は、焼き網の外郭を限定する縁部材と、該縁部材の内部に配され下部発熱源と対応する領域に設けられる少なくとも一つの遮断部材を有するフレームと、該フレームの遮断部材に一定間隔に配列される複数個の竹切片と、前記遮断部材に設けられた竹切片の間隔を維持させる間隔維持手段とを備える。前記遮断部材は縁部材の内部面積の一部だけを遮るように一定した幅を有し、前記遮断部材の竹切片が配された部分の間には下部熱源の熱気が通過できる長孔が形成される。【選択図】図 ２
2008500842.tif 000002
【特許請求の範囲】
【請求項１】
焼き網の外郭を限定する縁部材と、該縁部材により限定された領域に配され下部発熱源と対応する領域に設けられる少なくとも一つの遮断部材を有するフレームと、
前記フレームの遮断部材に一定間隔に配列される複数個の竹切片と、
前記遮断部材に設けられた竹切片の間隔を保たせる間隔維持手段を備え、
前記遮断部材は縁部材の内部面積の一部だけを遮るように一定した幅を有し、前記遮断部材の竹切片が配された部分の間には下部熱源の熱気が通過できる長孔が形成されることを特徴とする竹焼き網。 
【請求項２】
前記間隔維持手段は、前記遮断部材の長孔の端部にそれぞれ形成される複数個の突起を備えて前記竹切片が突起と突起との間に配されることを特徴とする請求項１に記載の竹焼き網。
【請求項３】
前記間隔維持手段は、前記遮断部材の長孔の縁部に沿って上方に突出した突出部よりなることを特徴とする請求項１に記載の竹焼き網。 
【請求項４】
前記遮断部材の竹切片が配される部分には肉油の流れを導くグルーブが長孔の長手方向に沿って長く形成されることを特徴とする請求項１に記載の竹焼き網。
【請求項５】
前記フレームの縁部材がＶ字形または逆Ｖ字形に折り曲げられ、
前記縁部材の両縁部には二つの遮断部材が配され前記フレームの中央を横切って支持部材が設けられ、
前記竹切片は前記二つの遮断部材及び支持部材により前記縁部材の形状と対応する形態に折曲げられ弾持されることを特徴とする請求項１に記載の竹焼き網。 
【請求項６】
前記竹切片の上面には加熱時に竹の水液が排出される通路を提供する少なくとも一つのノッチが形成されることを特徴とする請求項１に記載の竹焼き網。
【請求項７】
前記竹切片の下面には竹切片の折曲を容易にする折曲用溝が形成されることを特徴とする請求項５に記載の竹焼き網。
【請求項８】
上側に竹焼き網を支持するための焼き網受けを備え、内部空間には少なくとも一つ以上の下部発熱源が設けられる火鉢と、 
前記火鉢の焼き網受けに支持される竹焼き網を備え、  
前記竹焼き網は焼き網の外郭を限定する縁部材と、前記縁部材により限定された領域に配され下部発熱源と対応する領域に設けられる少なくとも一つの遮断部材を有するフレームと、
前記フレームの遮断部材に一定間隔に配列される複数個の竹切片と、
前記遮断部材に設けられた竹切片の間隔を保たせる間隔維持手段を備え、
前記遮断部材は縁部材の内部面積の一部だけを遮るように一定した幅を有し、前記遮断部材の竹切片が配された部分の間には下部熱源の熱気が通過できる長孔が形成され、 
前記フレームの縁部材がＶ字形または逆Ｖ字形に折曲げられ、前記縁部材の両縁部には２つの遮断部材が配され前記縁部材の中央には支持部材が設けられ、前記竹切片は前記２つの遮断部材及び支持部材により前記縁部材の形状と対応する形状に折曲げられて弾持されることを特徴とする焼き装置。 
【請求項９】
焼き網の外郭を限定する縁部材と、該縁部材により限定された領域に配され下部熱源の熱気が通過できる長孔が所定の間隔を隔てて並んで形成された遮断部材を有するフレームと、
相互間に所定の間隔を保ったまま並んで配列される複数個の竹切片と、該竹切片の両端部にそれぞれ設けられ竹切片の間隔を維持し竹切片を支持する固定部材を備える少なくとも一つ以上の竹切片組立体を備え、
前記複数個の竹切片が前記フレームの遮断部材の長孔と長孔との間にそれぞれ配される方式で前記竹切片組立体を前記フレームの遮断部材に安着させて使用することを特徴とする竹焼き網。
【請求項１０】
前記固定部材は竹切片の両端部を包みながら加圧支持するコの字形のクリップよりなることを特徴とする請求項９に記載の竹焼き網、
【請求項１１】
前記クリップは竹切片の上下面に接する把持部と竹切片と竹切片との間に引き込まれる引込部を交互に備えることにより竹切片の間隔を一定に維持させることを特徴とする請求項１０に記載の竹焼き網。
【請求項１２】
前記クリップの下面には竹切片を遮断部材から離隔させる少なくとも一つ以上の突起が形成されることを特徴とする請求項１０に記載の竹焼き網。
【請求項１３】
前記縁部材はＶ字形または逆Ｖ字形に折曲げられ、
前記遮断部材は前記縁部材の折曲部を中心に両側にそれぞれ配された第１遮断部材及び第２遮断部材を備え、
前記竹切片組立体が２つ設けられ、前記第１及び第２遮断部材にそれぞれ配されることを特徴とする請求項９に記載の竹焼き網。
【請求項１４】
前記フレームの折曲部には複数個の油通過孔が形成され、前記油通過孔の縁部に油を誘導排出するための誘導突起が形成されることを特徴とする請求項１３に記載の竹焼き網。
【請求項１５】
前記フレームの下部には前記第１及び第２遮断部材と対応する形状を有する第１及び第２補助遮断板がさらに設けられることを特徴とする請求項１３に記載の竹焼き網。
【請求項１６】
前記縁部材はＶ字形または逆Ｖ字形状に折り曲げられ、
前記遮断部材は前記縁部材の折曲部を中心に両側にそれぞれ配された第１遮断部材及び第２遮断部材を備え、
前記竹切片組立体はＶ字形または逆Ｖ字形の折曲げられた形態に維持されうるように前記複数個の竹切片の中央部の下面にそれぞれ折曲用溝が形成されることを特徴とする請求項９に記載の竹焼き網。 
【請求項１７】
前記折曲用溝の深さは竹切片の全厚さに対して１/２になるように形成することを特徴とする請求項１６に記載の竹焼き網。
【発明の詳細な説明】
【技術分野】
【０００１】
本発明は肉類や魚などを焼く焼き装置に係り、さらに詳しくは竹切片を用いて肉を焼く焼き網及びこれを含む焼き装置に関する。 
【背景技術】
【０００２】
通常に、肉類、魚などを焼く焼き装置は、熱源の炎が焼き対象物に熱が直接に加わる直接加熱方式と熱源の炎が焼き物に間接的に加わる間接加熱方式とに区分される。前記直接加熱方式は金属材質よりなる網状の焼き網に焼き対象物を載せて下部熱源の熱気で焼く方式であり、間接加熱方式は下部熱源の上部に遮蔽された焼き板を設け、この焼き板に焼き対象物を載せて焼く方式である。前記直接加熱方式は下部熱源の熱気が肉に直接に加わるので肉味が向上する利点があるが肉が焦げやすくなる問題点があり、間接加熱方式は焼き対象物の調理時間が延びて肉が堅くなって肉の味が低下し、肉が油に濡れる問題点がある。  一方、現代人の環境と健康に対する認識の変化により外食時に健康を考慮して食物を選定する傾向がある。従って、外食産業または飲食産業において健康を考慮した数多くの機能性食べ物及び関連装置が開発されている。
【０００３】
しかし、肉類や魚などに健康によい機能を加味することが容易でなく、肉を焼く時の発癌物質の発生と焼いた肉が堅くなる問題点を根本的に解決し難い。
【０００４】
この事情を勘案して韓国特許登録第１０-０４１６０５２号には青竹の焼き肉板が開示されている。前記青竹の焼肉板は焼き板の上面に複数個の竹嵌合溝と複数個の突出部を反復的に形成させ、前記複数個の竹嵌合溝に竹をそれぞれ嵌込んで配置させて焼き対象物が複数本の竹に載せられた状態で前記焼き板に加わる熱源により焼きが行われる構造を有する。
【０００５】
前述したような従来の技術に係る焼き板は間接加熱方式の遮蔽された焼き板に竹を配置する構造を有するので肉の味が低下し、肉から発生する油の排出が難しくて多量の煙が発生し、肉を焼くために長時間かかる問題点がある。  
【発明の開示】
【発明が解決しようとする課題】
【０００６】
本発明は前述したような問題点を解決するために案出されたもので、その目的は健康に良い竹水液が肉に効果的に染み込むことにより肉の味と香りを向上させ、下部熱源の火炎が竹切片に支持された肉に直間接に伝達されるようにすることで、肉が円滑に焼けるようにした竹焼き網とこれを用いた焼き装置を提供するところにある。 
【０００７】
本発明の他の目的は下部熱源の熱により竹切片が燃えやすくなる現象を防止した竹焼き網を提供するところにある。
【０００８】
本発明のさらに他の目的は使用が簡便であり竹切片の取替えが容易な竹焼き網を提供するところにある。
【０００９】
本発明のさらに他の目的は肉を焼く時竹切片から竹水液が円滑に排出されて肉に染み込める竹焼き網を提供するところにある。 
【課題を解決するための手段】
【００１０】
前述したような目的を達成するための本発明に係る竹焼き網は、焼き網の外郭を限定する縁部材と、該縁部材の内部に配され下部発熱源と対応する領域に設けられる少なくとも一つの遮断部材を有するフレームと、該フレームの遮断部材に一定間隔に配列される複数個の竹切片と、前記遮断部材に設けられた竹切片の間隔を維持させる間隔維持手段とを備える。前記遮断部材は縁部材の内部面積の一部だけを遮るように一定した幅を有し、前記遮断部材の竹切片が配置された部分の間には下部熱源の熱気が通過できる長孔が形成される。
【００１１】
本発明の他の側面によれば、前述したような目的を達成するための本発明に係る焼き装置は、上側に竹焼き網を支持するための焼き網受けを備え、内部空間には少なくとも一つ以上の下部発熱源が設けられる火鉢と、該火鉢の焼き網受けに支持される竹焼き網とを備える。前記竹焼き網は焼き網の外郭を限定する縁部材と、該縁部材の内部に配され下部発熱源と対応する領域に設けられる少なくとも一つの遮断部材を有するフレームと、該フレームの遮断部材に一定間隔に配列される複数個の竹切片と、該遮断部材に設けられた竹切片の間隔を保たせる間隔維持手段とを備える。前記遮断部材は縁部の内部面積の一部だけを遮るように一定した幅を有し、前記遮断部材の竹切片が配された部分間には下部熱源の熱気が通過できる長孔が形成される。前記フレームの縁部材がＶ字形または逆Ｖ字形に折曲げられ、前記縁部材の両縁部には２つの遮断部材が配され前記縁部材の中央には支持部材が設けられ、前記竹切片は前記２つの遮断部材及び支持部材によって前記縁部材の形状と対応する形状に折曲げられ弾持される。
【００１２】
本発明のさらに他の側面によれば、前述した目的を達成するための本発明に係る竹焼き網は、焼き網の外郭を限定する縁部材と、該縁部材の内部に配され下部熱源の熱気が通過できる長孔が所定の間隔を隔てて並んで形成された遮断部材を有するフレームと、相互間に所定の間隔を保ったまま並んで配列される複数個の竹切片と、前記竹切片の両端部にそれぞれ設けられ竹切片の間隔を維持し竹切片を支持する固定部材を備えた竹切片組立体とを備える。前記複数個の竹切片が前記フレームの遮断部材の長孔と長孔との間にそれぞれ配される方式で前記竹切片組立体を前記フレームの遮断部材に安着させて使用する。 
【発明を実施するための最良の形態】
【００１３】
以下、添付した図面に基づき本発明に係る竹焼き網及びこれを用いた焼き装置を詳述する。    
【００１４】
本発明に係る竹焼き網を用いた焼き装置は、下部熱源から発生する熱により竹焼き網が燃えることが防止でき、焼かれる肉類または魚に竹切片の内部水液が効率的に染み込めるように構成されたもので、その一実施例を図１に示した。
【００１５】
図１を参照すれば、竹焼き網を用いた焼き装置１０は、上部が開放された空間部(Ａ)を有する火鉢２１と、該火鉢２１の内部に相互対向する部分に一定間隔を隔てて設けられる下部発熱源２２と、前記火鉢２１の上部に設けられる焼き網受け２３と、該焼き網受け２３に支持され肉類または魚(Ｆ)が焼ける竹焼き網３０を備える。
【００１６】
前記火鉢２１はテーブルの中央部に設けられ、前記火鉢２１の底面には肉や魚を焼く時に発生する油を受けるための油受け(図示せず)がさらに具備されうる。前記火鉢２１の側面には前記発熱源２２に空気を供給するための空気供給手段及び/または前記肉類または魚(Ｆ)を焼く時発生する煙を排出するための排出手段が設けられる。前記空気供給手段と煙排出手段は通常のダクトと送風ファンよりなる。
【００１７】
下部発熱源２２は火鉢２１の側面２１ａに設けられた炭支持容器２２ａとこの炭支持容器２２ａに入った炭２２ｂよりなるが、前記炭２２ｂは堅炭または椰子炭を使用することが望ましい。前記発熱源２２は前述した実施例により限定されず、肉類または魚(Ｆ)が焼ける熱気を提供することができるものならばいずれも可能である。例えば、前記発熱源はガスレンジよりなることもできる。そして、前記火鉢も前記実施例により限定されず、竹焼き網の遮断部材(後述する)と対応する領域に発熱源を内蔵し、上部に竹焼き網を支持できる構造ならばいずれも可能である。 
【００１８】
竹焼き網３０は、竹切片を用いることにより竹の内部水液が焼き対象物に染み込むようにして、焼かれる肉類または魚(Ｆ)の香味を高め、肉が乾いて堅くなることを防止する。 
【００１９】
図２及び図３を参照すれば、前記竹焼き網３０は焼き網の外郭を限定する長方形よりなる縁部材３１と、該縁部材３１の内部の両縁部にそれぞれ配される遮断部材３２を有するフレーム３３を具備する。前記フレーム３３の遮断部材３２には複数個の竹切片１００が配される。前記遮断部材３２に配された竹切片１００の間隔を一定に維持する間隔維持手段４０が設けられる。  
【００２０】
前記縁部材３１は多角形または円形に形成されうる。前記縁部材３１と遮断部材３２は金属材で作製して反復使用できるようにするのが望ましい。前記縁部材３１は環棒、パイプまたは角形バーなどにより具現できる。前記遮断部材３２は下部発熱源と対応する位置、すなわち縁部材３１により限定される領域の対向側縁部にそれぞれ設けられるが、この遮断部材３２は下部発熱源２２から発生した熱が肉に直接に加わることを部分的に遮断すると共に、竹切片１００が燃えることを防止することができる。前記遮断部材３２は青銅、黄銅またはフッ素コーティングされた鉄板よりなる。下部発熱源の熱気が竹切片１００の間を通して焼き対象物(Ｆ)に直接に伝達されうるように遮断部材の竹切片１００が配された部分の間には熱気が通過できる長孔３２ａが形成される。 
【００２１】
前記間隔維持手段４０は前記遮断部材３２に支持された竹切片１００の間隔を一定に維持するための技術手段であって、図３に示したように遮断部材３２の長孔３２ａの端部に形成された突起４１よりなる。この突起４１は前記遮断部材３２の一部をランシング(lancing)加工して形成することができる。示されていないが、前記突起４１の先端が竹切片１００側に突出形成され竹切片１００を堅固に把持できるようにすることも可能である。  一方、前記間隔維持手段４０の他の実施例は、図４に示したように、前記遮断部材３２に形成された長孔３２ａの縁部に上方に突出する維持突起４２よりなる。前記各維持突起４２の端部が竹切片１００の間隔を維持するとともに竹切片１００を把持する。 
【００２２】
図５には前記間隔維持手段のさらに他の実施例を示した。同図によれば、前記間隔維持手段４０ｂは遮断部材３２に形成された長孔３２ａの縁部に沿って上方に突出して竹切片の間隔を維持する突出ビード４３よりなる。 
【００２３】
図６に示したように、遮断部材３２の竹切片１００が配される部分、すなわち突出ビード４３と突出ビード４３との間には肉から流出された油の流れを誘導するためのグルーブ４５が形成されうる。前記グルーブ４５は竹切片１００の長手方向に沿って焼き網の中央部に向かって傾斜することが望ましい。
【００２４】
図７には本発明に係る竹焼き網５０の他の実施例を示す。本実施例の構成要素のうち図２の実施例と同一な構成要素については同一な図面符号を付する。
【００２５】
図７を参照すれば、前記竹焼き網５０はフレーム５３の縁部材５１が中央部を中心に下方に折曲げられるようになることで、フレーム５３が全体としてＶ字形に形成される。従って、フレーム５３に配置される遮断部材５２は所定の角度で傾く。そして、フレーム５３の中央部には遮断部材５２と並んで支持部材５５が設けられる。この支持部材５５は環棒または平鉄よりなり、その両端部が縁部材５１に溶接される。このように構成された竹焼き網では竹切片１００の両端部がフレーム５３の両縁部に設けられた二つの遮断部材５２の上面に支持され、竹切片１００の中央部は前記支持部材５５の下面に支持される。したがって、竹切片１００は縁部材５１の形状と対応するＶ字形に折曲げられた状態に支持される。前記竹切片１００は竹の自体弾性力によってフレーム５３に一定間隔に堅固に配される。示されていないが、前記支持部材５５に竹切片１００の間隔を保つための支持溝及び支持突起が形成されうる。  
【００２６】
竹切片１００の両縁部に配された遮断部材５２には竹切片１００の間隔を一定に維持する間隔維持手段４０が設けられるが、この間隔維持手段４０は図２の実施例と同様なので詳細な説明は省く。
【００２７】
また、図１０に示したように、前記竹切片１００の中央部の下面には竹切片１００の折曲作業が容易になされるように折曲溝１０２が形成される。折曲げ溝１０２のサイズや形状は設計条件や使用条件によって当業者が多様に設定することができる。 
【００２８】
本実施例ではＶ字形に折曲げられた竹焼き網が開示されているが、本発明はこれに限らず、逆Ｖ字形に折曲げられた竹焼き網にも適用可能である。 
【００２９】
図８には本発明に係る竹焼き網６０の他の実施例を示した。図８を参照すれば、竹焼き網６０のフレーム６３は下方に傾斜して折曲げられＶ字形をなす縁部材６１と、前記縁部材６１の両縁部に傾いて設けられる第１及び第２遮断部材６２ａ、６２ｂと、前記縁部材６１の中央部、すなわちフレーム６３の最下部に設けられる第３遮断部材６４を備える。前記第３遮断部材６４は、図９に示したように、長手方向に沿ってＶ字形になるように折曲げられる。そして、複数個の竹切片１００の両端部は前記第１及び第２遮断部材６２ａ、６２ｂに支持され、竹切片１００の中央部は前記第３遮断部材６４に設けられる間隔維持手段７０により支持される。前記間隔維持手段７０はその端部が竹切片に係止する係止爪７１が形成された複数個のフック７２を含む。このフック７２は前記第３遮断部材６４をランシング加工することにより第３遮断部材６４と一体に形成されうる。そして、前記第１、第２及び第３遮断部材６２ａ、６２ｂ、６４には下部発熱源の熱が直接に肉類または魚に伝達されるように複数個の長孔６２ｂ、６２ｃ、６４ａが形成されている。一方、前記第１、第２及び第３遮断部材は相互連結され単一板よりなりうる。 
【００３０】
前記各実施例において、前記竹切片１００は図１０に示したように、加熱時竹の内部に含有された水液が容易に流出されうるように上面に複数個のノッチ１０１が形成されている。このノッチ１０１は竹の長手方向に沿って長く形成されたり、ドット状に多数個が形成されうる。前記竹切片１００は乾かない竹を用いて製造し、青さが変わらないように使用前真空包装して保管したり、包装容器の内部に酸素吸収剤を入れて包装することが望ましい。  前述したように構成された図１ないし図１０の実施例による竹焼き網とこれを用いた焼き装置の作用を説明すれば次の通りである。 
【００３１】
先ず、竹焼き網を用いて肉類または魚(Ｆ)を焼くためには火鉢２１の内部空間(Ａ)に配された下部発熱源２２の炭支持容器２２ａに点火された堅炭または椰子炭２２ｂを入れ、焼き網受け２３に竹焼き網３０を載置する。竹焼き網３０のフレームの遮断部材３２、３２は下部発熱源２２の垂直上部に位置される。この状態で竹焼き網３０の竹切片１００上に焼き対象物、すなわち肉類または魚を載せる。すると、下部発熱源２２から発生した熱気は前記遮断部材３２の長孔３２ａと竹切片１００との間を通じて焼き対象物に直接に伝達され、一部の火気は遮断部材３２に載せられた竹切片１００を通して焼き対象物に伝えられる。この過程で竹切片１００が加熱されることにより前記竹切片１００の内部水液が竹切片の上面に形成されたノッチ１０１を通じて流出され、流出された水液は焼き対象物に染み込まれる。従って、焼かれる肉類または魚は竹の香りと味を有するようになり、竹の水液に含有された健康に有用な物質が肉類または魚に含有される。特に、竹切片は肉の水分が蒸発することを最大限抑えられ、さらに肉が堅くなることを防止することができる。  一方、図７及び図８に示したように、竹焼き網５０、６０がＶ字形に折曲げられた場合、肉を焼く過程で肉から発生した油が竹切片１００に沿って流れて中央に集まり、焼き網の中央最下部の折曲部から火鉢の内部に落ちてくるようになる。従って、肉油が下部発熱源に直接に落下して煙が発生することを根本的に防止できるようになる。    
【００３２】
以下、図１１ないし図２７を参照しつつ、本発明に係る竹焼き網の他の実施例を説明する。本実施例による竹焼き網は複数個の竹切片を予め組み立てた竹切片組立体を焼き網のフレームに安着させて使用したものである。
【００３３】
図１１の竹焼き網は複数個の下部発熱源の熱気が通過できる長孔１２１が形成された遮断部材１２２を有する焼き網フレーム１２０と、該フレーム１２０に置かれる竹焼き網組立体２００を具備する。
【００３４】
竹焼き網組立体は相互所定の間隔(約５ないし１０ｍｍ)を維持したまま並んで配列される複数個の竹切片２０１と竹切片２０１の両端部にそれぞれ設けられ竹切片２０１の間隔を維持し支持する固定部材２２０を備える。 
【００３５】
前記焼き網フレーム１２０には取手１２３が設けられ、焼き網の外郭を限定する縁部材１２４を備える。前記縁部材１２４と遮断部材１２２は一体に形成されうる。そして、図１２に示されたように、前記遮断部材１２２の下部には補助遮断板１２５がさらに具備されうる。前記補助遮断板１２５は前記縁部材１２４または遮断部材１２２の下面に形成されたガイド部１２６により取付及び取外可能な構造を有する。 
【００３６】
図１３に示したように、前記竹切片組立体２００の固定部材２２０は竹切片２０１の縁部を包みながら加圧支持する断面コの字形状のクリップ２２１よりなる。  
【００３７】
固定部材２２０の他の実施例として、図１４に示されたクリップ２２３は竹切片２０１の上下面に接する把持部２２３ａと竹切片２０１と竹切片２０１との間に引き込まれる引込部２２３ｂを交互に形成することにより、竹切片２０１の間隔を一定に維持できるようにすることが望ましい。 
【００３８】
固定部材２２０のさらに他の実施例として、図１５に示されたクリップ２２４には竹切片２０１の上下面と対応する側面のうち少なくとも一側をかしめ（calking）して竹切片に差し込まれる突起２２４ａを形成することもできる。  
【００３９】
固定部材２２０のさらに他の実施例として、図１６に示されたクリップ２２５の端部には前記竹切片２０１の間隔を維持するために凹溝２２５ａと突出部２２５ｂを交互に形成して前記凹溝２２５ａに竹切片２０１の端部が挿入され嵌込まれるようにすることもできる。
【００４０】
固定部材２２０のさらに他の実施例として、図１７に示されたクリップ２２８はピン２２８ａをクリップ１２８を貫通して設置して竹切片２０１に刺し込むことによりなされうる。 
【００４１】
前記実施例において前記固定部材２２０のクリップ２２１、２２３、２２４、２２５、２２８の下面には突起(図示せず)を形成して、前記竹切片組立体２００の竹切片２０１がフレーム１２０の遮断部材１２２と所定間隔離隔され得るようにすることが望ましい。このような構成によれば、下部熱源により竹切片が燃えることが確実に防止される。 
【００４２】
一方、図１８に示したように、竹切片２０１の縁部にホール２０１ｂを形成し、このホール２０１ｂに挿入される突起２２６ａを有するワイヤ２２６を用いて固定部材２２０を形成することができる。
【００４３】
図１９に示したように前記竹焼き網組立体２００を焼き網フレーム１２０に嵌込むための嵌合手段１６０がさらに具備されうる。この嵌合手段１６０は縁部材１２４の一側にヒンジ連結され回動される少なくとも一つの回動部材１６１よりなる。前記嵌合手段は前述した構造に限定されず、焼き網フレーム１２０に竹焼き網組立体２００を固定できる構造ならばいずれも可能である。 
【００４４】
図２０に示された実施例による竹焼き網のフレーム１４０の縁部材１４６はＶ字形に折曲げられている。前記縁部材１４６の折曲部を中心にして両側に第１遮断部材１４２と第２遮断部材１４４がそれぞれ配置される。第１遮断部材１４２には複数個の第１長孔１４１が所定の間隔を隔てて並んで形成され、第２遮断部材１４４には複数個の第２長孔１４３が並んで形成される。  
【００４５】
前記第１及び第２遮断部材１４２、１４４の上面に竹焼き網組立体２００がそれぞれ装着される。前記第１及び第２遮断部材１４２、１４４は単一の胴体よりなる。
【００４６】
また、図２１に示された実施例の竹焼き網のフレーム１５０の縁部材１５６は逆Ｖ字形に折曲げられ、その両側に第１及び第２遮断部材１５２、１５４を装着する。 
【００４７】
そして、図２２に示したように前記第１及び第２遮断部材１４２、１４４がＶ字形に折曲げられた場合、前記第１及び第２長孔１４１、１４３の各縁部に上方に突出される第１及び第２油溢れ防止爪１４７、１４８が形成され、前記第１及び第２遮断部材１４２、１４４間の境界部、すなわち縁部材１４６が折曲げられた部分には少なくとも一つの油通過孔１４９が形成される。前記油通過孔１４９の縁部には図２３に示したように油の流れが誘導できるように突出された少なくとも一つの誘導突起１４９ａが形成されうる。 
【００４８】
そして、前記遮断部材１４２、１４４の油溢れ防止爪１４７、１４８の間には、図２４に示したように、長手方向にグルーブ１４２ａ、１４４ａが形成され、その上部に置かれる竹切片２０１との接触面積を最小化することができる。前記竹切片２０１は、図２５に示したように、下面を曲面をなすように形成してグルーブ１４２ａ、１４４ａが形成された遮断部材１４２、１４４との接触面積を最小化することができる。 
【００４９】
また、図２３に示したように、竹切片２０１と遮断部材１４２、１４４との直接的な接触を防止するためにクリップ２２１の下面に突起２２１ａが形成される。すなわち、クリップ２２１の下面に突起２２１ａが形成されることにより、竹切片２０１が突起２２１の高さほど離隔されるようにして遮断部材１４２、１４４との直接な接触が防止される。  一方、焼き網フレーム１４０の第１及び第２遮断部材１４２、１４４の下面には図２６に示したように、下部熱源から放出された熱を１次的に遮断する補助遮断板１９０がさらに具備されうる。縁部材１４６または第１及び第２遮断部材１４２、１４４の下面にガイド部材１９３が形成され、このガイド部材１９３に沿って補助遮断板１９０が摺動して出入り可能に構成される。前記補助遮断板１９０には前記第１及び第２遮断部材の長孔１４１、１４３と同一な形態及び配列を有する多数個の長孔１９２が形成される。前記補助遮断板１９０は金属板よりなることが望ましい。前記補助遮断板１９０は第１及び第２遮断部材１４２、１４４の下面を同時に遮断できるように一体に形成されたり、それぞれ遮断できるように分割された構造を有しうる。分割された構造を有する場合、図２７に示したように、補助遮断板１９０がガイド部材１９４に沿って焼き網フレームの対向側から焼き網フレームの中央部に摺動して挿入れうる。竹焼き網組立体２００の竹切片２０１の間、第１及び第２遮断部材１４２、１４４の長孔１４１、１４３、及び補助遮断板１９０の長孔１９２は同一な垂直軸線上に配するようにする。  
【００５０】
前記焼き網フレームに配される補助遮断板１９０は下部発熱源の熱気が過多に竹切片組立体２００に伝達され竹切片２０１が燃えることを防止することができ、補助遮断板１９０をガイド部材１９３、１９４に沿って前後進させることにより竹切片に加わる熱気の程度を調整することができる。 
【００５１】
図１１ないし図２７の実施例による竹焼き網は下部熱源の過渡な熱気により竹切片が燃えたり脱色及び変色することを確実に防止することができる。また、焼き網フレームと竹切片組立体を容易に着脱及び取替えできるため、使い勝手を良くすることができる。
【００５２】
以下、図２８ないし図３３を参照しながらＶ字形または逆Ｖ字形の竹切片組立体の折曲作業を容易にした実施例について説明する。
【００５３】
図２８に示されたように、本実施例による竹焼き網の竹切片組立体３００は相互平行に配列される複数個の竹切片３０１の両端部に固定部材３１２が配置された構造を有する。前記固定部材３１２は図１３に示された実施例の固定部材２２０と同一なので詳細な説明は省く。
【００５４】
本実施例による竹切片組立体３００を構成するそれぞれの竹切片３０１の概略中央部には折曲用溝３０１ｂが形成される。従って、ユーザが竹切片組立体３００を上方または下方に一定角度ほど曲げることにより竹切片組立体３００が折曲用溝３０１ｂを中心にＶ字形または逆Ｖ字形の折曲げられた形態に維持されうるようになる。 
【００５５】
前記折曲用溝３０１ｂは大きさや形状は当業者の設計条件や使用条件に応じて多様に設定することができる。本出願人の数回の実験によれば、前記折曲用溝３０１ｂの深さ(ｈ)を竹切片３０１の全厚さ(ｔ)に対して１/２程度になるように形成すれば折曲作業が円滑になされうる。
【００５６】
図２９の拡大図に示したように、竹切片３０１はその厚さの殆んどを占める木質３０１ｃと前記木質３０１ｃの上面に配される表皮３０１ｄで構成されており、前記表皮３０１ｄは木質３０１ｃより遥かに柔軟な材質である。従って、ユーザが竹切片を過渡に曲げて竹の木質３０１ｃ部分を切断しても表皮３０１ｄは切断されないため、竹切片が一定角度で折曲げられた状態を維持するようになる。 
【００５７】
本実施例では折曲用溝３０１ｂの断面形状が長方形の例が示されているが、半円形や三角形などの別の形状を採択することもできる。 
【００５８】
図３０に示したように、Ｖ字形に折曲げられた竹切片組立体３００'は、後述するＶ字形の焼き網フレームに置かれて使用される。また、図３１に示されたように、逆Ｖ字形に折曲げられた竹切片組立体３００"は後述する逆Ｖ字形の焼き網フレームに置かれて使用される。
【００５９】
図３０のＶ字形の竹切片組立体３００'が使用される竹焼き網１００のフレーム１６０は図３２に示したように焼き網の外郭を限定しＶ字形に折曲げられた縁部材１６１と、前記縁部材１６１の折曲部を中心に両側に配され、下部熱源の熱気が通過できる第１長孔１６２ａ及び第２長孔１６３ａが所定間隔を隔てて並んで形成された第１遮断部材１６２及び第２遮断部材１６３を備える。
【００６０】
前記第１遮断部材１６２と第２遮断部材１６３の第１及び第２長孔１６２ａ、１６３ａは前記竹切片組立体３００の竹切片３０１の配置間隔と対応する間隔にそれぞれ形成される。本実施例の竹焼き網を使用する時は下部熱源をフレーム１６０の両側部の下方に配し、フレーム１６０の中央部の下方には熱源が配置されないことが望ましい。すなわち、下部熱源の熱気が第１及び第２遮断部材の第１及び第２長孔とその上部の竹切片組立体３００'の竹切片３０１の隙間を通過して竹切片３０１に載せられた魚や肉類に直接加えられる。竹切片３０１の下面は第１遮断部材１６２と第２遮断部材１６３の非開放部１６２ｂ、１６３ｂにより遮られるため、下部熱源の熱気が竹切片に直接に加わって竹が燃えることが防止される。
【００６１】
必要な場合、前記縁部材１６１の中央には別の支持部材１６４がさらに設けられて、竹切片組立体３００'の中央の折曲部を支持するように構成する。
【００６２】
本実施例では前記第１及び第２遮断部材１６２、１６２３が縁部材１６１に溶接により取付けられた構造が示されているが、前記支持板と縁部材を一体に形成することもできる。また、本実施例では縁部材がＶ字形に折曲げられているが、縁部材を折曲げず、ただ第１及び第２遮断部材だけをＶ字形をなすように傾斜して取付けて構成することも可能である。
【００６３】
図３３に示された竹焼き網は、全体として逆Ｖ字形をなす焼き網であって、逆Ｖ字形の焼き網フレーム１７０と前記焼き網フレーム１７０に置かれる逆Ｖ字形の竹切片組立体３００"で構成される。本実施例の竹焼き網を使用する時は下部熱源をフレーム１７０の中央部の下方に配置し、フレーム１７０の両側部の下方には熱源が配置されないのが望ましい。
【００６４】
本実施例の焼き網フレーム１７０は四角形の縁部材１７１と、該縁部材１７１の内側に配され中央部を中心に逆Ｖ字形に配される少なくとも１つ以上の遮断部材１７２を備える。前記遮断部材１７２はその中央部を中心に２枚の羽根部１７４、１７５に区画され、中央部には支持部材１７３が設けられる。前記遮断部材１７２には前記竹切片組立体２００"の竹切片３０１の配置間隔と対応する間隔で複数個の長孔１７４ａ、１７５ａが形成さる。  以下、前述したように構成された本実施例による竹焼き網の作用効果を説明する。
【００６５】
まず、竹を所定幅に切断して竹切片３１を作製し竹切片３１の上部表面に複数個のノッチ３０１ａを形成する。一方、竹切片３０１の中央下部に折曲用溝３０１ｂを形成する。その後、前記竹切片３０１の端部を固定部材３１２上に一定間隔に配して竹切片組立体３００を作る。代案として、複数個の竹切片３０１を固定部材３１２に配置した後折曲用溝３０１ｂを一気に形成することも可能である。この際、竹切片３０はその表皮３０１ｄが上方に向かうように配される。
【００６６】
Ｖ字形の竹焼き網を具現するためには、前記竹切片組立体３００の両側を把持し、その中央部が下方に向かうように適当な角度で曲げた後把持を解除する。すると、竹切片組立体３００'は前記折曲用溝３０１ｂを中心にＶ字形に折り曲げられた状態が維持される。
【００６７】
一方、逆Ｖ字形の竹焼き網を具現するためには、前記竹切片組立体３００の両側を把持し、その中央部が上に向かうように適当な角度で曲げた後把持を解除する。すると、竹切片組立体３００"は前記折曲用溝３０１ｂを中心に逆Ｖ字形に折り曲げられた状態が維持される。
【００６８】
このようにＶ字形または逆Ｖ字形に折り曲げられた竹切片組立体３００'、３０１"をＶ字形または逆Ｖ字形の焼き網フレーム１６０、１７０上に安着させる。 
【００６９】
このように組み立てられた竹焼き網の竹切片上に肉類や魚などの焼き対象物を載せて置き、焼き網フレームの下方に配された下部熱源の加熱により焼き物を焼くようになる。  
【００７０】
肉を焼く過程で肉から発生した油は竹切片３０１に沿って移動した後下方に落下する。すなわちＶ字形の竹焼き網では肉油が焼き網フレーム１６０の中央部に集まって落下し、逆Ｖ字形の竹焼き網では肉油が焼き網フレーム１７０の両側に集まって落下するので、肉が下部熱源に直接に落下して煙が発生することを防止することができる。
【００７１】
図２８ないし図３３の実施例による竹焼き網は竹切片組立体を焼き網フレーム上に設ける作業が極めて容易なので作業性が著しく向上される。また、竹切片上に形成された折曲用溝を中心に竹切片組立体を曲げることによりＶ字形または逆Ｖ字形の竹焼き網組立体を簡単に製造することができ、焼く時竹水液が傾斜面に沿って移動しつつ焼き対象物に円滑に染み込まれるのみならず、肉油が下部熱源が配されない地点に落ちてくるので、肉油の燃焼による煙の発生を最小化することができる。さらに、焼き網フレームの遮断部材により下部熱源の熱気が竹切片に直接に加わることが防止されるため、竹が燃える現象を防止できる利点を提供する。
【００７２】
本発明は図面に示された一実施例を参考にして説明されたが、これは例示に過ぎず、当該技術分野において通常の知識を有する者ならばこれより多様な変形及び均等な実施例が可能であるという点を理解できよう。例えば、本明細書では竹切片を用いた焼き網だけが開示されているが、竹以外の材質を用いた焼き網も当業者が極めて容易に導出することができる。一例として、イブキや刺五加などの別の木材で切片を作って配する場合、その木材が有する特有の香りや人体に有益な成分を焼き対象物に染み込ませることができる。  
【図面の簡単な説明】
【００７３】
【図１】本発明の焼き装置の一実施例の概略的な構成図である。
【図２】本発明の竹焼き網の一実施例の斜視図である。
【図３】図２による竹焼き網の間隔維持手段の拡大図である。
【図４】図２による竹焼き網の間隔維持手段に対する色々の実施例を示した図である。
【図５】図２による竹焼き網の間隔維持手段に対する色々の実施例を示した図である。
【図６】図２による竹焼き網の間隔維持手段に対する色々の実施例を示した図である。
【図７】本発明の竹焼き網の他の実施例の斜視図である。
【図８】本発明の竹焼き網のさらに他の実施例の斜視図である。
【図９】図８の実施例による竹焼き網の要部拡大図である。
【図１０】本発明の竹焼き網に使われる竹切片の要部拡大図である。
【図１１】本発明に係る竹焼き網の他の実施例であって、竹切片組立体がフレームに安着され使用される例を示した斜視図である。
【図１２】図１１の実施例の竹焼き網が配される状態を示す断面図である。
【図１３】図１１の竹焼き網に使われる竹切片組立体の組立図である。
【図１４】図１１の竹焼き網の固定部材の変形された実施例を示した図である。
【図１５】図１１の竹焼き網の固定部材の変形された実施例を示した図である。
【図１６】図１１の竹焼き網の固定部材の変形された実施例を示した図である。
【図１７】図１１の竹焼き網の固定部材の変形された実施例を示した図である。
【図１８】図１１の竹焼き網の固定部材の変形された実施例を示した図である。
【図１９】図１１の実施例の竹焼き網の竹切片組立体をフレームに結合する結合手段を示した図である。
【図２０】Ｖ字形の竹焼き網に竹切片組立体が安着される状態を示す図である。
【図２１】逆Ｖ字形の竹焼き網に竹切片組立体が安着される状態を示す図である。
【図２２】図２０の実施例の竹焼き網の変形例を示した要部拡大斜視図である。
【図２３】図２０の実施例の竹焼き網の変形例を示した要部拡大斜視図である。
【図２４】図２０の実施例の竹焼き網の他の変形例を示した要部断面図である。
【図２５】図２０の実施例の竹焼き網の他の変形例を示した要部断面図である。
【図２６】図２０の実施例の竹焼き網に補助遮断板が設けられた状態を示した要部斜視図である。
【図２７】図２０の実施例の竹焼き網に補助遮断板が設けられた状態を示した要部斜視図である。
【図２８】竹切片組立体の折曲作業が容易になるように構成された竹焼き網の竹切片組立体を示した斜視図である。
【図２９】図２８に示された竹切片組立体の断面図である。
【図３０】図２８に示された竹切片組立体をＶ字形に折曲げた状態を示した断面図である。
【図３１】図２８に示された竹切片組立体を逆Ｖ字形に折曲げた状態を示した断面図である。
【図３２】図３０に示された竹切片組立体をフレーム上に結合する状態を示した分離斜視図である。
【図３３】図３１に示された竹切片組立体をフレーム上に結合する状態を示した分離斜視図である。
【図１】
2008500842.tif 000003
【図２】
2008500842.tif 000004
【図３】
2008500842.tif 000005
【図４】
2008500842.tif 000006
【図５】
2008500842.tif 000007
【図６】
2008500842.tif 000008
【図７】
2008500842.tif 000009
【図８】
2008500842.tif 000010
【図９】
2008500842.tif 000011
【図１０】
2008500842.tif 000012
【図１１】
2008500842.tif 000013
【図１２】
2008500842.tif 000014
【図１３】
2008500842.tif 000015
【図１４】
2008500842.tif 000016
【図１５】
2008500842.tif 000017
【図１６】
2008500842.tif 000018
【図１７】
2008500842.tif 000019
【図１８】
2008500842.tif 000020
【図１９】
2008500842.tif 000021
【図２０】
2008500842.tif 000022
【図２１】
2008500842.tif 000023
【図２２】
2008500842.tif 000024
【図２３】
2008500842.tif 000025
【図２４】
2008500842.tif 000026
【図２５】
2008500842.tif 000027
【図２６】
2008500842.tif 000028
【図２７】
2008500842.tif 000029
【図２８】
2008500842.tif 000030
【図２９】
2008500842.tif 000031
【図３０】
2008500842.tif 000032
【図３１】
2008500842.tif 000033
【図３２】
2008500842.tif 000034
【図３３】
2008500842.tif 000035
【国際調査報告】
2008500842.tif 000036
2008500842.tif 000037